(57)【要約】      （修正有）【課題】レーン設計の自由度及びカスタマイズ性が高いおもちゃを提供する。【解決手段】センサ３０によって特定した物理的な標識体Ｂの種類に基づいて，パネル１０上に，同一種類の複数の標識体Ｂが載置されているか否かを判断する。また，パネル１０上に同一種類の複数の標識体Ｂが載置されていると判断した場合に，映像記憶部から，複数の標識体Ｂの種類に対応した映像データを読み出す。そして，パネル１０上に載置されている同一種類の複数の標識体Ｂを繋ぐように，映像記憶部から読み出した映像Ｌのデータを表示装置２０に出力させる。【選択図】図１
2015181545.tif 000002
【特許請求の範囲】
【請求項１】
複数種類の物理的な標識体（Ｂ）が載置されるパネル（１０）と，
前記パネル（１０）に映し出す映像（Ｌ）を出力する表示装置（２０）と，
前記パネル（１０）上に載置された標識体（Ｂ）の種類及び位置を特定するためのセンサ（３０）と，
前記センサ（３０）からの情報を受信して，前記表示装置（２０）を制御する制御装置（４０）と，を備え
前記制御装置（４０）は，
前記標識体（Ｂ）の種類に対応付けて，前記表示装置（２０）に出力させる複数種類の映像データを記憶した映像記憶部（４１）と，
前記センサ（３０）によって特定した標識体（Ｂ）の種類に基づいて，前記パネル（１０）上に，同一種類の複数の標識体（Ｂ）が載置されているか否かを判断する種類判断部（４２）と，
前記種類判断部（４２）が前記パネル（１０）上に同一種類の複数の標識体（Ｂ）が載置されていると判断した場合に，前記映像記憶部（４１）から，当該複数の標識体（Ｂ）の種類に対応した映像データを読み出す映像読出部（４３）と，
前記パネル（１０）上に載置されている同一種類の複数の標識体（Ｂ）を繋ぐように，前記映像読出部（４３）によって読み出した映像データを前記表示装置（２０）に出力させる描画部（４４）と，を有する
デジタルレーン表示システム。
【請求項２】
前記制御装置（４０）は，前記描画部（４４）によって複数種類の映像データを前記表示装置（２０）に出力させる場合に，前記パネル（１０）に映し出される複数種類の映像（Ｌ）が交差するか否かを判断する交差判断部（４５）を，さらに有する
請求項１に記載のデジタルレーン表示システム。
【請求項３】
前記映像記憶部（４１）は，前記パネル（１０）に映し出される複数種類の映像（Ｌ）が交差する場合に，その交差点に映し出す交差点オブジェクト（Ｃ）のデータを，さらに記憶しており，
前記映像読出部（４３）は，前記交差判断部（４５）によって前記映像（Ｌ）が交差すると判断された場合に，前記交差点オブジェクト（Ｃ）のデータをさらに読み出し，
前記描画部（４４）は，前記パネル（１０）に映し出される複数種類の映像（Ｌ）が交差点に位置するように，前記交差点オブジェクト（Ｃ）のデータを前記表示装置（２０）に出力させる
請求項２に記載のデジタルレーン表示システム。
【請求項４】
センサ（３０）によって特定した物理的な標識体（Ｂ）の種類に基づいて，パネル（１０）上に，同一種類の複数の標識体（Ｂ）が載置されているか否かを判断する種類判断工程と，
前記パネル（１０）上に同一種類の複数の標識体（Ｂ）が載置されていると判断した場合に，映像記憶部（４１）から，当該複数の標識体（Ｂ）の種類に対応した映像データを読み出す映像読出工程と，
前記パネル（１０）上に載置されている同一種類の複数の標識体（Ｂ）を繋ぐように，前記映像記憶部（４１）から読み出した映像データを表示装置（２０）に出力させる描画工程と，を含む
デジタルレーン表示方法。
【発明の詳細な説明】
【技術分野】
【０００１】
本発明は，パネル上に，電車の線路や車両の道路などのレーンの映像を，自由に表示させることのできるデジタルレーン表示システム及び方法に関する。具体的に説明すると，本発明は，パネル上に同一種類の標識体（ブロック）が載置されたときに，この同一種類の標識体同士を繋ぐようにして，レーンの映像を表示するシステム及び方法に関するものである。
【背景技術】
【０００２】
従来から，机や床の上にプラスチック製のレールを敷いて，そのレール上を電車の模型が走行するようにしたおもちゃが知られている（例えば特許文献１）。代表的な商品としては，プラレール（登録商標）が挙げられる。このようなおもちゃは，子どもを中心に人気を博している。
【先行技術文献】
【特許文献】
【０００３】
【特許文献１】特開２００４−２６１４９５号公報
【発明の概要】
【発明が解決しようとする課題】
【０００４】
しかしながら，従来の電車模型のおもちゃは，机や床の上に物理的なレールを敷く必要がある。このため，電車模型の走行経路がレール自体の形状によって制限を受けたり，電車模型の走行経路を交差させるためにはレールを立体的に組み立てる必要があるなど，自由度がそれ程高いものではなかった。また，レールを組み立てて電車模型の走行経路を完成させた後に，その走行経路を変えるためには，レールを全て分解した後にもう一度組み直す必要が生じる場合もあり，カスタマイズ性に劣るという問題もあった。
【０００５】
このため，例えば電車とレールを全て映像としてディスプレイやスクリーン上に映し出して，従来の物理的な電車模型のおもちゃの代替品とすることも考えられている。しかし，電車とレールを映像として表示することとすると，その電車の走行経路を調整するためには，コンピュータを操作する必要がある。このようなコンピュータの操作は，子ども達にとっては難しいものであるため，電車とレールを全て映像としてしまうと嗜好性に欠けることとなる。また，従来の電車模型のおもちゃのように，物理的な物品を手で扱って電車模型の走行経路を設計するとう作業は，子どもの思考力を向上させる知能教育にも非常に有効である。他方，電車とレールを全て映像として表示してしまうと，子どもの思考力を向上させるという効果が低減してしまう。
【０００６】
従って，現在では，物理的な物品を手で扱って電車の線路などのレーンを設計するという作業を行うことができ，しかも，レーンの自由度及びカスタマイズ性が高いおもちゃが求められている。
【課題を解決するための手段】
【０００７】
そこで，本発明の発明者は，従来の問題を解決する手段について鋭意検討した結果，パネル上に載置された物理的な標識体の位置と種類を特定し，同一種類の標識体同士を繋ぐようにレーンの映像を表示するというシステムを考案した。このようなシステムによれば，子どもが標識体を手で扱ってレーンを設計することができるようになる。また，レーン自体は映像であるため，そのレーンの位置や形状は自由度が高いものとなり，また標識体の位置を変更することでレーンを自由にカスタマイズすることができるようになる。そして，本発明者は，上記知見に基づけば，従来技術の課題を解決できることに想到し，本発明を完成させた。具体的に説明すると，本発明は，以下の構成・工程を有する。
【０００８】
本発明の第１の側面は，デジタルレーン表示システムに関する。
本発明のシステムは，パネル１０と，表示装置２０と，センサ３０と，制御装置４０と，を備える。
パネル１０には，複数種類の物理的な標識体Ｂが載置される板状の部材である。
表示装置２０は，パネル１０に映し出す映像Ｌを出力する。表示装置２０は，パネル１０をスクリーンとして映像Ｌを投影するプロジェクタであってもよいし，透明なパネル１０の下方に設置された液晶ディスプレイなどであってもよい。
センサ３０は，パネル１０上に載置された標識体Ｂの種類及び位置を特定する。センサ３０は，標識体Ｂに添付されたマーカやラベルを読み取るものであってもよいし，標識体Ｂ自体の形状や色を読み取るものであってもよい。センサ３０は，例えば，標識体Ｂに赤外線等を照射してその反射光を受光する赤外線センサであってもよいし，標識体Ｂの形状や色を識別可能なＣＣＤイメージセンサであってもよい。
制御装置４０は，センサ３０からの情報を受信して，表示装置２０を制御するためのＣＰＵである。
ここで，制御装置４０は，映像記憶部４１と，種類判断部４２と，映像読出部４３と，描画部４４と，を有する。
映像記憶部４１は，標識体Ｂの種類に対応付けて，表示装置２０に出力させる複数種類の映像データを記憶したデータベースである。
種類判断部４２は，センサ３０によって特定した標識体Ｂの種類に基づいて，パネル１０上に，同一種類の複数の標識体Ｂが載置されているか否かを判断する
映像読出部４３は，種類判断部４２がパネル１０上に同一種類の複数の標識体Ｂが載置されていると判断した場合に，映像記憶部４１から，当該複数の標識体Ｂの種類に対応した映像データを読み出す。
描画部４４は，パネル１０上に載置されている同一種類の複数の標識体Ｂを繋ぐように，映像読出部４３によって読み出した映像データを表示装置２０に出力させる。
【０００９】
本発明のシステムにおいて，制御装置４０は，交差判断部４５をさらに有することが好ましい。
交差判断部４５は，描画部４４によって複数種類の映像データを表示装置２０に出力させる場合に，パネル１０に映し出される複数種類の映像Ｌが交差するか否かを判断する
【００１０】
本発明のシステムにおいて，映像記憶部４１は，パネル１０に映し出される複数種類の映像Ｌが交差する場合に，その交差点に映し出す交差点オブジェクトＣのデータを，さらに記憶していることが好ましい。
この場合に，映像読出部４３は，交差判断部４５によって映像Ｌが交差すると判断された場合に，交差点オブジェクトＣのデータをさらに読み出す。
また，描画部４４は，パネル１０に映し出される複数種類の映像Ｌが交差点に位置するように，交差点オブジェクトＣのデータを表示装置２０に出力させることが好ましい。
【００１１】
本発明の第２の側面は，上記第１の側面に係るシステムを利用した，デジタルレーン表示方法に関する。
本発明の方法は，種類判断工程と，映像読出工程と，描画工程とを含む。
種類判断工程は，センサ３０によって特定した物理的な標識体Ｂの種類に基づいて，パネル１０上に，同一種類の複数の標識体Ｂが載置されているか否かを判断する工程である。
映像読出工程は，パネル１０上に同一種類の複数の標識体Ｂが載置されていると判断した場合に，映像記憶部４１から，当該複数の標識体Ｂの種類に対応した映像データを読み出す工程である。
描画工程は，パネル１０上に載置されている同一種類の複数の標識体Ｂを繋ぐように，映像記憶部４１から読み出した映像データを表示装置２０に出力させる工程である。
【発明の効果】
【００１２】
本発明によれば，物理的な物品を手で扱って電車の線路などのレーンを設計するという作業を行うことができ，しかも，レーンの自由度及びカスタマイズ性が高いおもちゃを提供することができる。すなわち，本発明では，物理的な標識体をパネルの上に載置することにより，このパネル上に標識体同士を繋ぐレーンの映像が映し出される。ここで，パネル上に表示されたレーンに沿って，車や電車の映像が走行するようにしてもよいし，パネル上に表示されたレーンに沿って，電車模型が走行するようにしてもよい。また，標識体のパネル上の位置を変更することで，併せて，レーンの映像の軌道や距離が変更される。従って，本発明によれば，レーンの設計の自由度が高くなり，またカスタマイズ性も向上する。
【図面の簡単な説明】
【００１３】
【図１】図１は，本発明のシステムの外観構成を概念的に示した模式図である。
【図２】図２は，本発明のシステムの機能構成を示したブロック図である。
【図３】図３は，映像記憶部に記憶されたデータの構造の一例を示している。
【図４】図４は，パネル上に映し出される映像の一例を示している。
【図５】図５は，本発明のシステムを利用してパネル上に映し出される映像の一例を示した写真である。
【発明を実施するための形態】
【００１４】
以下，図面を用いて本発明を実施するための形態について説明する。本発明は，以下に説明する形態に限定されるものではなく，以下の形態から当業者が自明な範囲で適宜修正したものも含む。
【００１５】
図１は，本発明に係るデジタルレーン表示システム１００の外観構成を概念的に示した模式図である。また，図２は，本発明に係るデジタルレーン表示システム１００の機能構成を示したブロック図である。図１及び図２に示されるように，本発明のデジタルレーン表示システム１００は，板状のパネル１０と，表示装置２０と，センサ３０と，制御装置４０を備えている。
【００１６】
図１に示されるように，パネル１０上には，複数の標識体（ブロック）Ｂが載置される。標識体Ｂには，複数の種類が存在する。例えば，図１に示した例において，標識体Ｂには，第１の種類“Ｂ１”と，第２の種類“Ｂ２”が存在している。また，同じ種類の標識体Ｂは，複数個ずつ存在する。例えば，図１に示した例において，第１の種類“Ｂ１”の標識体Ｂは２個存在し，第２の種類“Ｂ２”の標識体Ｂも２個存在している。このように標識体Ｂは，複数種類のものが，それぞれ複数個ずつ用意される。
【００１７】
標識体Ｂの形状は，特に限定されない。図１に示した例では，標識体Ｂの形状は六面体となっている。その他にも，標識体Ｂは，様々な立体的形状とすることができる。また，標識体Ｂは，シールやシートなどのように，平面的な形状であってもよい。標識体Ｂの形状は，パネル上に載置したときに安定させるために，底面が平面状に形成されたものであることが好ましい。
【００１８】
また，標識体Ｂの種類を区別する方法は特に限定されない。例えば，標識体Ｂは，マーカやラベルを添付して種類を区別することとしてもよい。つまり，同一種類の標識体Ｂには，同一のマーカやラベルが添付され，他種類の標識体Ｂには異なる種類のマーカやラベルが添付される。また，標識体Ｂは，形状や，色，大きさ，材質によって種類を区別することができる。その他，標識体Ｂの表面やその内部に電子機器（ＩＣチップ等）を組み込み，この電子機器から出力される信号等によって標識体Ｂの種類を区別することもできる。
【００１９】
表示装置２０は，パネル１０に映し出す映像Ｌを出力する装置である。例えば，表示装置２０は，パネル１０をスクリーンとして，このパネル１０に映像Ｌを投影するプロジェクタであってもよい。表示装置２０がプロジェクタである場合，表示装置２０をパネル１０上の上方に設置して，パネル１０の表面に映像Ｌを投影することとしてもよい。また，表示装置２０がプロジェクタである場合，表示装置２０をパネル１０の下方に設置して，パネル１０を裏面側から映像Ｌを投影することとしてもよい。また，表示装置２０は，液晶ディスプレイや，有機ＥＬディスプレイ，又はタッチパネルディスプレイであってもよい。この場合，パネル１０は透明部材で構成し，そのパネル１０の裏面側にディスプレイとしての表示装置２０を設置すればよい。
【００２０】
センサ３０は，パネル１０上に載置された標識体Ｂの種類及び位置を特定するための装置である。例えば，赤外線反射材料で模様が描かれたラベルを，標識体Ｂに添付する。同一種類の標識体Ｂには，同じ模様のラベルが添付されており，異なる種類の標識体Ｂには，異なる模様のラベルが添付されている。この場合に，センサ３０は，図１及び図２に示されるように，赤外線照射機３１と，赤外線検出器３２とよって構成すればよい。すなわち，赤外線照射機３１は，パネル上に載置された標識体Ｂに向けて赤外線を照射する。赤外線検出器３２は，標識体Ｂのラベルに塗布された赤外線反射材において反射した赤外線を検出する。これにより，赤外線検出器３２は，赤外線反射光によって，標識体Ｂにラベルに描かれた模様と，標識体Ｂのパネル上の位置を把握することができる。その結果，赤外線検出器３２を利用して，パネル上に載置されている標識体Ｂの種類と位置を特定することが可能になる。その他，センサ３０は，標識体Ｂの形状や色彩によって，標識体Ｂの種類と位置を特定することもできる。例えば，異なる種類の標識体Ｂは，形状や色彩を異ならせればよい。この場合，センサ３０としては，ＣＣＤイメージセンサを採用することも可能である。ＣＣＤイメージセンサによって，標識体Ｂの形状又は色彩を認識することで，結果として，標識体Ｂの位置と種類を特定することが可能となる。
【００２１】
制御装置４０は，センサ３０からの情報を受信して，表示装置２０を制御するためのコンピュータである。図１に示されるように，制御装置４０は，表示装置２０及びセンサ３０と有線又は無線で接続されている。つまり，図２に示されるように，制御装置４０は，センサ３０によって検出された情報を受信し，各種演算処理を行って，表示装置２０に所定の映像Ｌを出力させる制御を行う。図２のブロック図に示されるように，制御装置４０は，映像記憶部４１と，種類判断部４２と，交差判断部４５と，映像読出部４３と，描画部４４とを有している。
【００２２】
映像記憶部４１は，標識体Ｂの種類に対応付けて，表示装置２０に出力させる複数種類の映像Ｌのデータ（映像データ）を記憶したデータベースである。また，映像記憶部４１は，パネル１０に映し出される複数種類の映像Ｌが交差する場合に，その交差点に映し出す交差点オブジェクトＣのデータを，さらに記憶していることが好ましい。
【００２３】
例えば，映像記憶部４１に記憶されるデータ構造の一例は，図３に示されている。図３（ａ）に示されるように，映像記憶部４１には，標識体（Ｂ１〜Ｂ４）の種類ごとに，映像（Ｌ１〜Ｌ４）のデータが対応付けて記憶されている。本発明のシステムでは，同一種類の標識体を繋ぐようにして，映像が表示される。例えば，図３（ａ）に示されるように，パネル１０上に，種類“Ｂ１”（赤色のブロック）の標識体Ｂが複数個存在するとき，これらの標識体Ｂを繋ぐように，映像Ｌ１（線路を列車が走る映像）が表示される。また，パネル１０上に，種類“Ｂ２”（青色のブロック）の標識体Ｂが複数個存在するとき，これらの標識体Ｂを繋ぐように，映像Ｌ２（水路を船体が通過する映像）が表示される。種類“Ｂ３”“Ｂ４”の標識体についても同様である。映像記憶部４１には，まず，このような情報が記憶されている。
【００２４】
また，図３（ｂ）に示されるように，映像記憶部４１には，交差する映像データの組み合わせの情報と，それらの映像データの交差点に表示される交差点オブジェクトＣのデータが対応付けて記憶されている。例えば，複数の標識体Ｂ１を繋ぐ映像Ｌ１（線路の映像）と複数の標識体Ｂ２を繋ぐ映像Ｌ２（水路の映像）とが交差する場合，その交差点には，交差点オブジェクトＣ１（陸橋の映像）が表示される。また，複数の標識体Ｂ１を繋ぐ映像Ｌ１（線路の映像）と複数の標識体Ｂ３を繋ぐ映像Ｌ３（道路の映像）とが交差する場合，その交差点には，交差点オブジェクトＣ３（踏切の映像）表示される。このように，映像データの交差点に交差点オブジェクトを表示することで，複数の映像を混同することなく同時且つ自然に表示することが可能となる。
【００２５】
続いて，種類判断部４２は，センサ３０によって特定した標識体Ｂの種類に基づいて，パネル１０上に，同一種類の複数の標識体Ｂが載置されているか否かを判断する。同一種類の標識体Ｂがパネル上に複数載置されている場合には，それらの同一種類の標識体Ｂを映像によって繋ぐ必要がある。
【００２６】
また，交差判断部４５は，複数種類の映像データＬをパネル１０上に表示する場合に，パネル１０に映し出される複数種類の映像Ｌが交差するか否かを判断する。例えば，交差判断部４５は，まず，パネル上に載置されている同一種類の標識体Ｂの位置に基づいて，それらを繋ぐ映像Ｌの軌道（軌跡）を計算する。そして，その後，交差判断部４５は，パネル１０上に表示する複数の映像Ｌの軌道計算結果に基づいて，それらの映像Ｌがパネル１０上で交差するか否かを判断すればよい。また，交差判断部４５は，複数の映像Ｌの交差点のパネル１０上の位置を計算することが好ましい。
【００２７】
映像読出部４３は，映像記憶部４１に記憶されている情報を，必要に応じて読み出す。映像読出部４３は，まず，種類判断部４２がパネル１０上に同一種類の複数の標識体Ｂが載置されていると判断した場合に，映像記憶部４１から，その複数の標識体Ｂの種類に対応した映像データを読み出す。例えば，図３（ａ）に示されるように，映像読出部４３は，パネル１０上に，種類“Ｂ１”（赤色のブロック）の標識体Ｂが複数個存在するときには，この種類“Ｂ１”に対応した映像Ｌ１（線路を列車が走る映像）を読み出す。また，映像読出部４３は，交差判断部４５によってパネル１０上の映像Ｌが交差すると判断された場合に，その交差点に表示する交差点オブジェクトＣのデータをさらに読み出す。例えば，図３（ｂ）に示されるように，映像読出部４３は，複数の標識体Ｂ１を繋ぐ映像Ｌ１（線路の映像）と複数の標識体Ｂ２を繋ぐ映像Ｌ２（水路の映像）とが交差する場合には，交差点オブジェクトＣ１（陸橋の映像）のデータを読み出す。
【００２８】
描画部４４は，映像読出部４３が読み出した映像Ｌのデータと交差点オブジェクトＣのデータとを，表示装置２０に出力させる。具体的には，描画部４４は，パネル１０上に載置された同一種類の標識体Ｂの位置に基づいて，これらの標識体Ｂを繋ぐようにして，映像Ｌのデータを表示装置２０に出力させる。また，描画部４４は，パネル１０上に映し出される複数の映像Ｌの軌道に基づいて，これらの映像Ｌの交差点に位置するように，交差点オブジェクトＣのデータを表示装置２０に出力させる。
【００２９】
図４には，表示装置２０によってパネル１０上に映し出された映像の一例が模式的に示されている。例えば，パネル１０上には，同一種類の標識体Ｂ１が３つ載置されている。このため，これらの標識体Ｂ１を繋ぐように，パネル１０上には映像Ｌ１が映し出されている。同様に，パネル上には，標識体Ｂ２と標識体Ｂ３が，それぞれ２つずつ載置されている。このため，パネル１０上には，標識体Ｂ２を繋ぐように映像Ｌ２が映し出されると共に，標識体Ｂ３を繋ぐように映像Ｌ３が映し出されている。なお，パネル１０上には，標識体Ｂ４が載置されているものの，この標識体Ｂ４は１つしか存在していない。このため，標識体Ｂ４に対応する映像は，パネル１０上には映し出されてはいない。
【００３０】
なお，図４の例では，映像Ｌ１〜Ｌ３は直線状に表示されている。ただし，映像Ｌは，同一種類の標識体Ｂを繋ぐものであれば直線状には限定されず，例えば曲線や，波線，ジグザグ線などであってもよい。
【００３１】
また，図４に示されるように，パネル１０上において，標識体Ｂ１を繋ぐ映像Ｌ１と標識体Ｂ２を繋ぐ映像Ｌ２が交差している。このため，映像Ｌ１と映像Ｌ２の交差点には，交差点オブジェクトＣ１が映し出されている。同様に，パネル１０上において，標識体Ｂ２を繋ぐ映像Ｌ２と標識体Ｂ３を繋ぐ映像Ｌ３が交差している。このため，映像Ｌ２と映像Ｌ３の交差点には，交差点オブジェクトＣ２が映し出されている。なお，本発明において，映像の交差点のすべてに交差点オブジェクトを表示する必要はない。例えば，交差点オブジェクトは，ある特定の映像が交差する場合に，その交差点に映し出されるものであればよい。
【００３２】
さらに，図５は，本発明のシステムの実施例を示した写真である。図５には，本発明のシステムを利用してパネル上に映し出される映像の一例が示されている。図５（ａ）に示されるように，標識体（ブロック）の種類を識別して，同種類の標識体を繋ぐように様々な映像（レーン）を表示することで，あたかもパネル上に１つの街が形成されたかのような演出を行うことができる。また，図５（ｂ）に示されるように，標識体（ブロック）を追加したり，標識体の位置を変更したりすることで，映像（レーン）の構成を自由に拡張したり変化させたりすることができる。このため，標識体（ブロック）を操作することで，あたかも街の構造が拡張したり変化したりする演出を提供することができる。また，複数の映像（レーン）の交差点には，その映像（レーン）に応じた交差点オブジェクト（陸橋や踏切）が表示されている。従って，それぞれの映像（レーン）が互いに連携して，リアリティのある街並みを表現することが可能となる。特に，本発明のシステムでは，従来の電車模型のおもちゃのように，電車が走行するレールを立体交差させたりレールを組み直したりする必要がないため，レールの設計の自由度とカスタマイズ性が非常に高くなっている。
【００３３】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００３４】
本発明は，電車の線路や車両の道路などのレーンの映像を，自由に表示させることのできるデジタルレーン表示システム等に関する。従って，本発明は，エンターテイメント産業において好適に利用しうる。
【符号の説明】
【００３５】
１０…パネル            ２０…表示装置              ３０…センサ
４０…制御装置          ４１…映像記憶部            ４２…種類判断部
４３…映像読出部        ４４…描画部                ４５…交差判断部
１００…デジタルレーン表示システム
Ｂ…標識体              Ｌ…映像                    Ｃ…交差点オブジェクト
【図１】
2015181545.tif 000003
【図２】
2015181545.tif 000004
【図３】
2015181545.tif 000005
【図４】
2015181545.tif 000006
【図５】
2015181545.tif 000007